(57)【要約】【課題】温水タンク天面からの放熱を最小にして省エネを図ることができる飲料供給装置を提供することを目的とする。【解決手段】温水タンク２０は、供給された飲用水を貯留する温水タンク本体２１、温水タンク本体２１上面を覆う蓋２２、リザーバタンク１０から供給された飲用水を加熱する電気ヒータ２３、飲料供給指示に従って弁を開閉して温水供給管２５からコーヒーブリュアやミキシングボールに温水を供給する温水供給弁２４、温水タンク本体２１や蓋２２の周囲を覆い、放熱を防いで放熱ロスを無くし、省エネを図るための断熱材２７ａ、２７ｂ、２７ｃとを備え、リザーブタンク１０の予め定めた第１の水位と温水タンク２０の予め定めた第２の水位とが同じ水位となるようにリザーバタンク１０と温水タンク２０とを飲用水通流管路３０で連通している。【選択図】        図１
2010088732.tif 000002
【特許請求の範囲】
【請求項１】
水源から供給された飲用水を予め定めた第１の水位に保って貯留するリザーバタンクと、当該リザーバタンクから供給された飲用水を温水として予め定めた第２の水位に保って貯留する温水タンクとを備え、前記温水タンクから供給された温水と飲料原料とから飲料を調製して供給する飲料供給装置において、
前記リザーバタンクと前記温水タンクとを前記第１の水位と前記第２の水位とが同じ水位となるように配設して管路で連通し、
前記温水タンクから温水を供給して飲料を調整し、前記温水タンクの水位が前記第２の水位より低下すると、前記水源から供給された飲用水が予め定めた第１の水位に保って貯留されているリザーバタンクから前記管路を通流して前記温水タンクに移動し、前記温水タンクの水位が前記第１の水位と同じになるようにしたことを特徴とする飲料供給装置。
【請求項２】
前記管路には、前記温水タンクに貯留してある温水が前記リザーバタンクに通流することを防止する逆流防止弁を設けたことを特徴とする請求項１に記載の飲料供給装置。
【請求項３】
前記温水タンク周囲を断熱材で覆ったことを特徴とする請求項１または請求項２に記載の飲料供給装置。
【請求項４】
前記リザーバタンクには、貯留している飲用水の水位変動に従動して昇降するフロートが所定の低位置に降下すると給水開始信号を出力する低水位スイッチと、所定の高位置に上昇すると給水停止信号を出力する高水位スイッチと、を設け、水源から供給された飲用水を前記第１の水位に保って貯留することを特徴とする請求項１または請求項２に記載の飲料供給装置。
【請求項５】
前記リザーバタンクは、少なくとも所定の高さ位置における材質が光透過性材質からなり、
貯留している飲用水の水位が所定の低位置に降下すると給水開始信号を出力し、所定の高位置に上昇すると給水停止信号を出力する、投光手段および受光手段からなる水位センサを前記リザーバタンクの外側に設け、水源から供給された飲用水を前記第１の水位に保って貯留することを特徴とする請求項１または請求項２に記載の飲料供給装置。
【請求項６】
前記リザーバタンクには、貯留している飲用水の水位が所定の低位置に降下すると給水開始信号を出力し、所定の高位置に上昇すると給水停止信号を出力する、水位検知電極を設け、水源から供給された飲用水を前記第１の水位に保って貯留することを特徴とする請求項１または請求項２に記載の飲料供給装置。
【発明の詳細な説明】
【技術分野】
【０００１】
本発明は、飲料原料と温水とから調整した飲料を供給する飲料供給装置に関するものである。
【背景技術】
【０００２】
飲料原料と温水とから調整した飲料を供給する飲料供給装置（例えばカップ式自動販売機）は、水道に直結した給水管に弁を開閉して飲用水の給水、停止を行う水入口弁を設け、水入口弁が開いて供給された飲用水はリザーバタンクに貯留され、水ポンプでカーボネータや冷水ノズル、温水タンクに圧送される。また、アイス飲料用の冷水、炭酸水やシロップを冷却する冷却水槽、炭酸水を製造して貯留するカーボネータ、カップに冷水を注出する冷水ノズル、カップに炭酸水を注出する炭酸水ノズル、炭酸ガスを貯蔵する炭酸ガスボンベ、シロップを貯蔵するシロップコンテナ、カップにシロップを注出するシロップノズル、リザーバタンクから供給される飲用水で氷片を製氷するオーガ式製氷機、コーヒー豆キャニスタから供給されるコーヒー豆をミルで挽いた挽き豆に温水タンクから供給される温水を注いでコーヒー液を抽出するコーヒーブリュア、粉末原料キャニスタから供給される砂糖、クリームなどの粉末原料とコーヒーブリュアから供給されるコーヒー液を攪拌混合してコーヒー飲料を調製するミキシングボール、カップにコーヒー飲料を注出するコーヒーノズルなどを備えている。
【０００３】
温水タンクは、湯気が機内に充満するのを防ぎ、また、機内の浮遊物が混入するのを防ぐために上面を蓋で覆うようにしている。この温水タンクの上面を覆っている蓋には、温水の水位変動に従動して昇降するフロート、フロートの昇降に連動して動作する高水位スイッチ、低水位スイッチや電気ヒータが取り付けられている。さらに、温水タンクには湯温センサ、空焚き防止センサ、沸騰防止サーモ、温水供給弁などが設けられ、温水タンクの上部から供給された飲用水は電気ヒータで湯温センサが上限温度信号を出力するまで加熱昇温されて温水となり温水タンク内に貯留され、飲料供給指示に従って温水供給弁を開閉して温水供給管からコーヒーブリュアやミキシングボールに供給された温水と飲料原料とから飲料が調製されてカップに注出される（例えば、特許文献１参照）。
【特許文献１】特開平８−３１５２４４号公報（図２、図３）
【発明の開示】
【発明が解決しようとする課題】
【０００４】
このような温水タンクを備える飲料供給装置の飲料供給待機時における温水タンクの消費電力量は装置全体の消費電力量の約３０％を占めているため、飲料供給装置の消費電力量を低減して省エネを図るためには温水タンクからの放熱ロスを低減することが重要である。この温水タンクからの放熱ロスを低減して貯留している温水の温度低下を防止するため、温水タンクの周囲には断熱材を貼り付けてタンク本体周囲からの放熱を防止し、熱ロスを少なくして省エネを図るようにしている。
【０００５】
しかしながら、温水タンクの上面を覆っている蓋には、温水の水位変動に従動して昇降するフロート、フロートの昇降に連動して動作する高水位スイッチ、低水位スイッチや電気ヒータが取り付けられているため、温水タンク上面を覆っている蓋を断熱するには、これらの装置を避けて断熱材を貼り付ける必要があり、断熱材を貼り付けられる面積が極端に狭くなる。温水タンクは９５℃〜９７℃に加熱した温水を貯留しており、蓋温度は９０℃〜９５℃となり、機内温度（２０℃〜３０℃）との差が大きく、蓋からの多大なる放熱ロスが発生し、また、フロートやスイッチ取付金具、電気ヒータ端子からも放熱ロスが発生する要因になっていた。
【０００６】
本発明は、上記実情に鑑みて、温水タンク天面からの放熱を最小にして省エネを図ることができる飲料供給装置を提供することを目的とする。
【課題を解決するための手段】
【０００７】
上記目的を達成するため、本発明の請求項１に係る飲料供給装置は、水源から供給された飲用水を予め定めた第１の水位に保って貯留するリザーバタンクと、当該リザーバタンクから供給された飲用水を温水として予め定めた第２の水位に保って貯留する温水タンクとを備え、前記温水タンクから供給された温水と飲料原料とから飲料を調製して供給する飲料供給装置において、
前記リザーバタンクと前記温水タンクとを前記第１の水位と前記第２の水位とが同じ水位となるように配設して管路で連通し、
前記温水タンクから温水を供給して飲料を調整し、前記温水タンクの水位が前記第２の水位より低下すると、前記水源から供給された飲用水が予め定めた第１の水位に保って貯留されているリザーバタンクから前記管路を通流して前記温水タンクに移動し、前記温水タンクの水位が前記第１の水位と同じになるようにしたことを特徴とする。
【０００８】
また、本発明の請求項２に係る飲料供給装置は、上述した請求項１において、前記管路には、前記温水タンクに貯留してある温水が前記リザーバタンクに通流することを防止する逆流防止弁を設けたことを特徴とする。
また、本発明の請求項３に係る飲料供給装置は、上述した請求項１または請求項２において、前記温水タンク周囲を断熱材で覆ったことを特徴とする。
【０００９】
また、本発明の請求項４に係る飲料供給装置は、上述した請求項１または請求項２において、前記リザーバタンクには、貯留している飲用水の水位変動に従動して昇降するフロートが所定の低位置に降下すると給水開始信号を出力する低水位スイッチと、所定の高位置に上昇すると給水停止信号を出力する高水位スイッチと、を設け、水源から供給された飲用水を前記第１の水位に保って貯留することを特徴とする。
【００１０】
また、本発明の請求項５に係る飲料供給装置は、上述した請求項１または請求項２において、前記リザーバタンクは、少なくとも所定の高さ位置における材質が光透過性材質からなり、
貯留している飲用水の水位が所定の低位置に降下すると給水開始信号を出力し、所定の高位置に上昇すると給水停止信号を出力する、投光手段および受光手段からなる水位センサを前記リザーバタンクの外側に設け、水源から供給された飲用水を前記第１の水位に保って貯留することを特徴とする。
【００１１】
また、本発明の請求項６に係る飲料供給装置は、上述した請求項１または請求項２において、前記リザーバタンクには、貯留している飲用水の水位が所定の低位置に降下すると給水開始信号を出力し、所定の高位置に上昇すると給水停止信号を出力する、水位検知電極を設け、水源から供給された飲用水を前記第１の水位に保って貯留することを特徴とする。
【発明の効果】
【００１２】
請求項１の発明によれば、リザーバタンクと温水タンクとを第１の水位と第２の水位とが同じ水位となるように配設して管路で連通し、温水タンクから温水を供給して飲料を調整し、温水タンクの水位が第２の水位より低下すると、水源から供給された飲用水が予め定めた第１の水位に保って貯留されているリザーバタンクから管路を通流して温水タンクに移動し、温水タンクの水位が第１の水位と同じになるようにしたことにより、温水タンクの上面を覆っている蓋に、温水の水位変動に従動して昇降するフロートやフロートの昇降に連動して動作する高水位スイッチ、低水位スイッチを取り付ける必要がなくなることで、温水タンク上面を覆っている蓋全面に断熱材を貼り付けることができ、蓋からの放熱ロス、また、フロートやスイッチ取付金具からの放熱ロスの発生を防止して、温水タンク天面からの放熱を最小にして省エネを図ることができる飲料供給装置を提供することが可能となる。
【００１３】
また、請求項２の発明によれば、リザーバタンクと温水タンクとを連通する管路に、温水タンクに貯留してある温水がリザーバタンクに通流することを防止する逆流防止弁を設けたことにより、飲料供給指示に従って水ポンプが駆動され、リザーブタンクに貯留してある飲用水がカーボネータや冷水ノズルに供給されてその水位が低下し、その結果、リザーブタンクの水位が温水タンクの水位より低くなっても、温水タンクに貯留してある温水がリザーバタンクに通流することを防止することができる。
【００１４】
また、請求項３の発明によれば、温水タンク周囲を断熱材で覆ったことにより、温水タンクからの放熱を最小にして省エネを図ることができる飲料供給装置を提供することができる。
また、請求項４の発明によれば、リザーバタンクには、貯留している飲用水の水位変動に従動して昇降するフロートが所定の低位置に降下すると給水開始信号を出力する低水位スイッチと、所定の高位置に上昇すると給水停止信号を出力する高水位スイッチと、を設け、水源から供給された飲用水を第１の水位に保って貯留することにより、温水タンクから温水を供給して飲料を調整し、温水タンクの水位が第２の水位より低下すると、飲用水がリザーバタンクから管路を通流して温水タンクに移動し、温水タンクの水位が第１の水位と同じになるようにリザーバタンクが水源から供給された飲用水を予め定めた第１の水位に保って貯留することができる。
【００１５】
また、請求項５の発明によれば、リザーバタンクは、少なくとも所定の高さ位置における材質が光透過性材質からなり、貯留している飲用水の水位が所定の低位置に降下すると給水開始信号を出力し、所定の高位置に上昇すると給水停止信号を出力する、投光手段および受光手段からなる水位センサをリザーバタンクの外側に設け、水源から供給された飲用水を第１の水位に保って貯留することにより、温水タンクから温水を供給して飲料を調整し、温水タンクの水位が第２の水位より低下すると、飲用水がリザーバタンクから管路を通流して温水タンクに移動し、温水タンクの水位が第１の水位と同じになるようにリザーバタンクが水源から供給された飲用水を予め定めた第１の水位に保って貯留することができる。
【００１６】
また、請求項６の発明によれば、リザーバタンクには、貯留している飲用水の水位が所定の低位置に降下すると給水開始信号を出力し、所定の高位置に上昇すると給水停止信号を出力する、水位検知電極を設け、水源から供給された飲用水を第１の水位に保って貯留することにより、温水タンクから温水を供給して飲料を調整し、温水タンクの水位が第２の水位より低下すると、飲用水がリザーバタンクから管路を通流して温水タンクに移動し、温水タンクの水位が第１の水位と同じになるようにリザーバタンクが水源から供給された飲用水を予め定めた第１の水位に保って貯留することができる。
【発明を実施するための最良の形態】
【００１７】
以下に添付図面を参照して、本発明に係る飲料供給装置の好適な実施の形態について詳細に説明する。なお、この実施の形態によりこの発明が限定されるものではない。
（実施の形態１）
図１は本発明の実施の形態１である飲料供給装置（カップ式自動販売機）に備えられているリザーバタンク１０および温水タンク２０を示す図である。リザーバタンク１０は、水道に直結した給水管１１に設けた水入口弁１２を通じて供給された飲用水を貯留するリザーバタンク本体１３、リザーバタンク本体１３に貯留している飲用水の水位変動に従動して昇降するフロート１４に立設させたロッド１５の位置を検出し、飲用水が給水開始水位（所定の低位置：Ａ１）に降下すると給水開始信号を出力する低水位スイッチ１６と、飲用水が給水停止水位（所定の高位置：Ａ２）に上昇すると給水停止信号を出力する高水位スイッチ１７とを備え、リザーバタンク１０は飲用水を給水開始水位Ａ１と給水停止水位Ａ２との間の水位（第１の水位）に保って貯留している。低水位スイッチ１６および高水位スイッチ１７は、例えば磁石でオン、オフを行うリードスイッチやマイクロスイッチを適宜採用することができる。
【００１８】
温水タンク２０は、供給された飲用水を貯留する温水タンク本体２１、湯気が機内に充満するのを防ぎ、また、機内の浮遊物が混入するのを防ぐために温水タンク本体２１上面を覆う蓋２２、リザーバタンク１０から供給された飲用水を加熱するための電気ヒータ２３、飲料供給指示に従って弁を開閉して温水供給管２５からコーヒーブリュアやミキシングボールに温水を供給する温水供給弁２４、温水の水位の変動による温水タンク２０内の空気（蒸気）入出口２６、温水タンク本体２１や蓋２２の周囲を覆い、放熱を防いで放熱ロスを無くし、省エネを図るための断熱材２７ａ、２７ｂ、２７ｃとを備え、温水は電気ヒータ２３および給水供給弁２４の上部位置で空気入出口２６の下部位置となるように予め定めた水位（第２の水位：図中Ａ１とＡ２との間の水位）に保って貯留するようにしている。
【００１９】
そして、リザーブタンク１０の予め定めた第１の水位と温水タンク２０の予め定めた第２の水位とが同じ水位となるようにリザーバタンク１０と温水タンク２０とを配設して飲用水通流管路３０で連通するようにしている。この飲用水通流管路３０には、温水タンク２０に貯留してある温水がリザーバタンク１０に通流することを防止する逆流防止弁３１を設けている。このように飲用水通流管路３０の途中に逆流防止弁３１を設けているのは、飲料供給指示に従って水ポンプが駆動され、リザーブタンク１０に貯留してある飲用水がカーボネータや冷水ノズルに供給されてその水位が低下し、その結果、リザーブタンク１０の水位が温水タンク２０の水位より低くなると、温水タンク２０に貯留してある温水がリザーバタンク１０に通流することを防止するためである。なお、逆流防止弁３１は、一方向への液体の通流を許可し、他方向への液体の通流を防止する逆止弁を用いてもよく、また、水ポンプを駆動するときに弁を閉じて温水タンク２０に貯留してある温水がリザーバタンク１０に通流することを防止する電磁開閉弁を用いるようにしてもよい。
【００２０】
このように、温水タンク２０の上面を覆っている蓋２２に、温水の水位変動に従動して昇降するフロート、ロッドやフロートの昇降に連動して動作する高水位スイッチ、低水位スイッチを取り付ける必要がなくなることで、温水タンク２０上面を覆っている蓋２２を断熱する断熱材２７ｃを蓋２２全面に貼り付けることができ、蓋２２からの放熱ロス、また、フロート、ロッドや高水位スイッチ、低水位スイッチ取付金具からの放熱ロスの発生を防止して、温水タンク２０天面からの放熱を最小にして省エネを図ることができる飲料供給装置を提供することができる。また、温水タンクに使用するフロートは９５℃〜９７℃の温水温度に耐えることができるようにステンレス材で形成されていて高価であったが、リザーブタンクではフロートを飲用水中で使用するためにプラスチック材で形成することが可能となるため、コストの低減また重量軽減による小型化を図ることができる。
【００２１】
図２は、飲料供給装置の制御系を示すブロック図である。同図に示すように制御部９０の他、メモリ９１やタイマー９２などが付設されている。制御部９０は、メモリ９１に記憶している所定の指令信号やタイマー９２、低水位スイッチ１６、高水位スイッチ１７からの入力信号に基づき、水入口弁１２を開閉して水源から供給された飲用水をリザーバタンク１０に貯留して第１の水位に保つとともに、温水タンク２０に貯留する温水を所定の温度（例えば９５℃〜９７℃）に加熱するために電気ヒータ２３に通電し、飲料供給指示に従って温水供給弁２４を開閉制御する。
【００２２】
係る構成で、制御部９０は、飲料供給指示に従って温水供給弁２４を開閉して温水供給管２５からコーヒーブリュアやミキシングボールに供給した温水と飲料原料とから飲料を調整してカップに注出する。そして、飲料調整に使用する温水を供給した温水タンク２０の水位が第２の水位より低下すると、水源から供給された飲用水が予め定めた第１の水位に保って貯留されているリザーバタンク１０から飲用水通流管路３０を通流して温水タンク２０に移動し、温水タンク２０の水位がリザーバタンク１０の第１の水位と同じになり、電気ヒータ２３で加熱されて所定の温度となった温水が貯留される。
（実施の形態２）
つぎに、本発明に係る飲料供給装置の実施の形態２を、図３を参照して説明する。なお、実施の形態１と同一構成に関しては同一符号を用いる。実施の形態１の飲料供給装置では、リザーバタンク１０は、水道に直結した給水管１１に設けた水入口弁１２を通じて供給された飲用水の水位変動に従動して昇降するフロート１４に立設させたロッド１５の位置を検出し、飲用水が給水開始水位（所定の低位置：Ａ１）に降下すると給水開始信号を出力する低水位スイッチ１６と、飲用水が給水停止水位（所定の高位置：Ａ２）に上昇すると給水停止信号を出力する高水位スイッチ１７とを備え、リザーバタンク１０は飲用水を給水開始水位Ａ１と給水停止水位Ａ２との間の水位（第１の水位）に保って貯留するようにしているが、実施の形態２の飲料供給装置では、リザーバタンク４０のリザーバタンク本体４１は、少なくとも飲用水を貯留する所定の高さ位置における材質を光透過性透明材料で形成し、貯留している飲用水が給水開始水位（所定の低位置：Ａ１）に降下すると給水開始信号を出力する投光器４２ａおよび受光器４２ｂからなる低水位センサ４２と、飲用水が給水停止水位（所定の高位置：Ａ２）に上昇すると給水停止信号を出力する投光器４３ａおよび受光器４３ｂからなる高水位センサ４３をリザーバタンク本体４１の外側に設け、リザーバタンク４０は水源から供給された飲用水を給水開始水位Ａ１と給水停止水位Ａ２との間の水位（第１の水位）に保って貯留する。
【００２３】
このように、実施の形態２の構成によっても、飲料調整に使用する温水を供給した温水タンク２０の水位が第２の水位より低下し、水源から供給された飲用水が予め定めた第１の水位に保って貯留してあるリザーバタンク４０から飲用水通流管路３０を通流して温水タンク２０に移動し、温水タンク２０の水位がリザーバタンク４０の第１の水位と同じになり、電気ヒータ２３で加熱されて所定の温度となった温水が貯留されるので、温水タンク２０の上面を覆っている蓋２２に、温水の水位変動に従動して昇降するフロート、ロッドやフロートの昇降に連動して動作する高水位スイッチ、低水位スイッチを取り付ける必要がなくなることで、温水タンク２０上面を覆っている蓋２２を断熱する断熱材２７ｃを蓋２２全面に貼り付けることができ、蓋２２からの放熱ロス、また、フロート、ロッドや高水位スイッチ、低水位スイッチ取付金具からの放熱ロスの発生を防止して、温水タンク２０天面からの放熱を最小にして省エネを図ることができる飲料供給装置を提供することができる。
（実施の形態３）
つぎに、本発明に係る飲料供給装置の実施の形態３を、図４を参照して説明する。なお、実施の形態１および実施の形態２と同一構成に関しては同一符号を用いる。実施の形態２の飲料供給装置では、リザーバタンク４０は、水道に直結した給水管１１に設けた水入口弁１２を通じて供給された飲用水が給水開始水位（所定の低位置：Ａ１）に降下すると給水開始信号を出力する投光器４２ａおよび受光器４２ｂからなる低水位センサ４２と、飲用水が給水停止水位（所定の高位置：Ａ２）に上昇すると給水停止信号を出力する投光器４３ａおよび受光器４３ｂからなる高水位センサ４３をリザーバタンク４０の外側に設け、リザーバタンク４０は水源から供給された飲用水を給水開始水位Ａ１と給水停止水位Ａ２との間の水位（第１の水位）に保って貯留するようにしているが、実施の形態３の飲料供給装置では、貯留している飲用水が給水開始水位（所定の低位置：Ａ１）に降下すると給水開始信号を出力する低水位検知電極５２と、飲用水が給水停止水位（所定の高位置：Ａ２）に上昇すると給水停止信号を出力する高水位検知電極５３と、共通電極５４とをリザーバタンク５０に設け、リザーバタンク５０は水源から供給された飲用水を給水開始水位Ａ１と給水停止水位Ａ２との間の水位（第１の水位）に保って貯留する。
【００２４】
このように、実施の形態３の構成によっても、飲料調整に使用する温水を供給した温水タンク２０の水位が第２の水位より低下し、水源から供給された飲用水が予め定めた第１の水位に保って貯留してあるリザーバタンク５０から飲用水通流管路３０を通流して温水タンク２０に移動し、温水タンク２０の水位がリザーバタンク５０の第１の水位と同じになり、電気ヒータ２３で加熱されて所定の温度となった温水が貯留されるので、温水タンク２０の上面を覆っている蓋２２に、温水の水位変動に従動して昇降するフロート、ロッドやフロートの昇降に連動して動作する高水位スイッチ、低水位スイッチを取り付ける必要がなくなることで、温水タンク２０上面を覆っている蓋２２を断熱する断熱材２７ｃを蓋２２全面に貼り付けることができ、蓋２２からの放熱ロス、また、フロート、ロッドや高水位スイッチ、低水位スイッチ取付金具からの放熱ロスの発生を防止して、温水タンク２０天面からの放熱を最小にして省エネを図ることができる飲料供給装置を提供することができる。
【図面の簡単な説明】
【００２５】
【図１】本発明に係る飲料供給装置の実施の形態１のリザーバタンクと温水タンクを示すである。
【図２】図１に示した飲料供給装置の制御系を示すブロック図である。
【図３】本発明に係る飲料供給装置の実施の形態２のリザーバタンクと温水タンクを示すである。
【図４】本発明に係る飲料供給装置の実施の形態３のリザーバタンクと温水タンクを示すである。
【符号の説明】
【００２６】
１０      リザーバタンク
１２      水入口弁
１３      リザーバタンク本体
１４      フロート
１５      ロッド
１６      低水位スイッチ
１７      高水位スイッチ
２０      温水タンク
２１      温水タンク本体
２２      蓋
２３      電気ヒータ
２４      温水供給弁
２７ａ    断熱材
２７ｂ    断熱材
２７ｃ    断熱材
３０      飲用水通流管路（管路）
３１      逆流防止弁
４０      リザーバタンク
４１      温水タンク本体
４２      低水位センサ
４３      高水位センサ
５０      リザーバタンク
５１      温水タンク本体
５２      低水位検知電極
５３      高水位検知電極
【図１】
2010088732.tif 000003
【図２】
2010088732.tif 000004
【図３】
2010088732.tif 000005
【図４】
2010088732.tif 000006